(57)【要約】【課題】口径が異なる多種類のケーブル配管に好適な対応可能な真空吸引装置１のエアホース２を提供すること。【解決手段】管路３の先端部に差し込まれる真空吸引装置１のエアホース２は、先端に先細テーパ状の筒部であるテーパ状空気吸入端部２１を有する。このテーパ状空気吸入端部２１は、口径が異なる多種類のケーブル配管に差し込むことができるため、作業が容易となる。【選択図】図１
0003146706.tif 000002
【実用新案登録請求の範囲】
【請求項１】
両端開口の管路にその挿入口側から挿入されたケーブル敷設用の引き込み線と、前記管路の引出口から前記管路内の空気を吸引する空気吸引装置とを有し、前記引き込み線の先端部は大きな空気抵抗をもつ風受け部を有する挿線装置において、
前記空気吸引装置は、真空吸引装置と、前記真空吸引装置の空気吸入口と前記管路の前記引出口とを連通するエアホースを有し、
前記エアホースは、先端に向けて先細テーパ状に形成されて前記管路の引出口に差し込まれたテーパ状空気吸入端部を有し、
前記テーパ状空気吸入端部の先端外径は、内径が異なる所定の複数種類の市販ケーブル用配管のうち径小側の配管の内径より小さく、
前記テーパ状空気吸入端部の基端外径は、内径が異なる所定の複数種類の市販ケーブル用配管のうち径大の配管の内径より小さいことを特徴とする挿線装置。
【請求項２】
請求項１記載の挿線装置において、
前記テーパ状空気吸入端部は、弾性材料により形成されている挿線装置。
【請求項３】
両端開口の管路にその挿入口側から挿入されたケーブル敷設用の引き込み線と、前記管路の引出口から前記管路内の空気を吸引する空気吸引装置とを有し、前記引き込み線の先端部は大きな空気抵抗をもつ風受け部を有する挿線装置において、
前記空気吸引装置は、真空吸引装置と、前記真空吸引装置の空気吸入口と前記管路の前記引出口とを連続するエアホースを有し、
前記エアホースは、前記管路の外径よりも大きい先端内径を有してカップ状に形成されるとともに前記管路の引出口周囲の壁面に密着可能な椀状空気吸入端部を有し、
前記椀状空気吸入端部の先端内径は、内径が異なる所定の複数種類の市販ケーブル用配管のうち径大の配管の内径より大きいことを特徴とする挿線装置。
【請求項４】
請求項３記載の挿線装置において、
前記椀状空気吸入端部は、弾性材料により形成されている挿線装置。
【考案の詳細な説明】
【技術分野】
【０００１】
本考案は、管路内へのケーブルの挿線（通線）作業に好適に用いられる挿線装置の改良に関する。
【背景技術】
【０００２】
空又は既にケーブルが敷設された管路にケーブルを敷設する場合、ケーブルよりも細い挿線用予備線（以下、単に予備線又は引き込み線とも言う）をこの管路に挿通し、この予備線の先端にケーブルの先端を固定して、この予備線を引き戻すことにより、管路内へのケーブルの敷設を行うことが、従来より広く行われている。
【０００３】
この予備線挿通作業において、管路内に気流を形成し、予備線の先端に挿線用風受け部材を固定することにより、気流が挿線用風受け部材に与える流体抵抗力（ドラッグ）又は挿線用風受け部材前後の静圧差により、挿線用風受け部材を予備線挿通方向へ付勢する予備線挿通技術（以下、気流式予備線挿通技術と略称する）が、たとえば、本出願人により所有されている下記の特許文献１に記載されている。この気流式予備線挿通技術では、挿線用風受け部材は、予備線を引きずりつつ管路内を飛行する。下記の特許文献２は、パラシュート型の挿線用風受け部材を提案している。図３に示すように、このパラシュート型挿線用風受け部材１００は、樹脂フィルム又は布で成形された柔軟なパラシュート部１０１と、このパラシュート部１０１の後端を予備線２００の先端に接続する多数のパラシュート紐１０２とを有している。
【０００４】
管路内に気流を形成したり、挿線用風受け部材前後の差圧を増大するための気流形成装置として、管路の挿入口側から圧縮空気を注入する空気圧入装置、又は、管路の引出口側から管路内の空気を吸引する空気吸引装置が用いられる。後者は空気の漏れが小さい利点を有する。この空気吸引装置は、真空吸引装置と、この真空吸引装置の空気吸入口と管路の引出口とを連通するエアホースとを有している。
【特許文献１】特許第４１１７８６１号公報
【特許文献２】実用新案登録第３１０５３１６号公報
【考案の開示】
【考案が解決しようとする課題】
【０００５】
しかしながら、工事中のビルや既設ビルなどの実際の挿線工事現場では、様々な口径の多種類の管路が存在する。多種類の管路の口径と一致する多種類の口径のホースを準備し、好適な一つを真空吸引装置に脱着することは、ホースコストの増大と作業の煩雑化を招くという問題があった。
【０００６】
このため、建物の壁面に埋め込まれた配管に予備線を挿通する場合に、この配管の端部が連通するジョイントボックス全体を覆う空気吸入端部をホースに設けることも考えられる。しかし、ジョイントボックスには複数の配管が連通することも多いため、ジョイントボックス全体から空気を吸引する場合、目的とする配管以外の配管からの空気吸引により目的とする配管からの空気吸引効率が低下するという問題があった。
【０００７】
本考案は、上記問題点に鑑みなされたものであり、管路の口径変化に好適に対応可能な挿線装置を提供することをその目的としている。
【課題を解決するための手段】
【０００８】
上記の課題を解決する第１の考案は、両端開口の管路にその挿入口側から挿入されたケーブル敷設用の引き込み線と、前記管路の引出口から前記管路内の空気を吸引する空気吸引装置とを有し、前記引き込み線の先端部は大きな空気抵抗をもつ風受け部を有する挿線装置において、
前記空気吸引装置は、真空吸引装置と、前記真空吸引装置の空気吸入口と前記管路の前記引出口とを連通するエアホースを有し、前記エアホースは、先端に向けて先細テーパ状に形成されて前記管路の引出口に差し込まれたテーパ状空気吸入端部を有し、前記テーパ状空気吸入端部の先端外径は、内径が異なる所定の複数種類の市販ケーブル用配管のうち径小側の配管の内径より小さく、前記テーパ状空気吸入端部の基端外径は、内径が異なる所定の複数種類の市販ケーブル用配管のうち径大の配管の内径より小さいことを特徴としている。このようにすれば、口径（内径）が類似する複数種類の配管に対して一つのエアホースのテーパ状空気吸入端部を差し込んで対応することができるため、準備するエアホースの種類を減らすことができ、作業が容易となり、装置の持ち運びも簡単となり、装置製造コストも低減することができる。
【０００９】
好適な態様において、前記テーパ状空気吸入端部は、弾性材料により形成されている。このようにすれば、テーパ状空気吸入端部を管路の引出口に押し込むことによりテーパ状空気吸入端部が径方向に弾性圧縮されるため、エアホースのテーパ状空気吸入端部と管路との結合が強化される。
【００１０】
上記の課題を解決する第２の考案は、両端開口の管路にその挿入口側から挿入されたケーブル敷設用の引き込み線と、前記管路の引出口から前記管路内の空気を吸引する空気吸引装置とを有し、前記引き込み線の先端部は大きな空気抵抗をもつ風受け部を有する挿線装置において、
前記空気吸引装置は、真空吸引装置と、前記真空吸引装置の空気吸入口と前記管路の前記引出口とを連続するエアホースを有し、前記エアホースは、前記管路の外径よりも大きい先端内径を有してカップ状に形成されるとともに前記管路の引出口周囲の壁面に密着可能な椀状空気吸入端部を有し、前記椀状空気吸入端部の先端内径は、内径が異なる所定の複数種類の市販ケーブル用配管のうち径大の配管の内径より大きいことを特徴としている。このようにすれば、口径（内径）が類似する複数種類の配管に対して一つのエアホースの椀状空気吸入端部を被せて対応することができるため、準備するエアホースの種類を減らすことができ、作業が容易となり、装置の持ち運びも簡単となり、装置製造コストも低減することができる。
【００１１】
好適な態様において、椀状空気吸入端部は、弾性材料により形成されている。このようにすれば、真空吸引装置の吸引により椀状空気吸入端部の周縁部が管路周囲の壁面に押しつけられる際に、椀状空気吸入端部の周縁部がこの壁面の凹凸に沿いつつ弾性変形するため、空気漏れを低減することができる。
【考案を実施するための最良の形態】
【００１２】
（実施形態１）
本考案の実施形態１を説明する。図１は、この実施形態の挿線装置の要部を示す模式部分断面図である。
【００１３】
１は真空吸引装置、２はエアホースである。真空吸引装置１はエアホース２を通じて空気を吸引する。３は管路、４は管路３が埋設された建物の壁部、５は壁部４に埋設されたジョイントボックスである。管路３の引出口３１は、ジョイントボックス５の上端面に開口しており、ジョイントボックス５の一端は、壁部４の壁面に開口している。６は、ケーブル引き込み用の予備線（引き込み線）であり、予備線６の先端には多数のテープ６１が設けられている。
【００１４】
真空吸引装置１を駆動することにより管路３内の空気をエアホース２を通じて吸引すると、テープ６１に作用する流体抗力により予備線６は管路３内をその引出口３１側に飛行する。
【００１５】
この実施形態では、エアホース２の先端部は先端に向けて先細テーパ状に形成されたテーパ状空気吸入端部２１を有しており、このテーパ状空気吸入端部２１は、管路３の引出口３１に差し込まれている。この実施形態では、テーパ状空気吸入端部２１の先端の外径は２０ｍｍ、基端の外径は３０ｍｍとされている。
【００１６】
これにより、このテーパ状空気吸入端部２１は、２０〜３０ｍｍの口径の管路３に差し込むことができる。つまり、口径（内径）が類似する複数種類の配管に対して一つのエアホースのテーパ状空気吸入端部を差し込んで対応することができるため、準備するエアホースの種類を減らすことができ、作業が容易となり、装置の持ち運びも簡単となり、装置製造コストも低減することができる。
【００１７】
（変形態様）
なお、図１では、テーパ状空気吸入端部２１とエアホース２とは、樹脂又はゴムにより一体に形成されたが、別々に構成して両者を嵌合させてもよい。テーパ状空気吸入端部２１は、ゴムなどにより弾性をもつことが特に好適である。これにより、テーパ状空気吸入端部２１を管路３の引出口３１に差し込んだ場合に、テーパ状空気吸入端部２１が径方向に弾性圧縮されるため、エアホース２のテーパ状空気吸入端部２１と管路３との結合が強化される。
【００１８】
（実施形態２）
本考案の実施形態２を説明する。図２は、この考案の挿線装置の要部を示す模式部分断面図である。
【００１９】
１は真空吸引装置、２はエアホースである。真空吸引装置１はエアホース２を通じて空気を吸引する。３は管路、７、８はマンホール、９は道路の舗装部である。マンホール７、８は道路９に沿いつつ所定距離たとえば５０メートル程度離れている。地中に埋設された管路３の挿入口はマンホール７の壁面に開口し、管路３の引出口３１はマンホール８の壁面に開口している。予備線６の先端にはパラシュート型又は先細筒体形の柔軟な挿線用風受け部材６２が固定されている。エアホース２の先端部である椀状空気吸入端部２２は管路３の引出口３１を覆っており、椀状空気吸入端部２２の先端周縁部はマンホール８の側壁面に密着している。
【００２０】
真空吸引装置１を駆動することにより管路３内の空気をエアホース２を通じて吸引すると、挿線用風受け部材６２に作用する圧力差により予備線６は管路３内をその引出口３１側に飛行する。
【００２１】
この実施形態では、エアホース２の先端部は図２に示すように、椀状に形成されて、管路３の引出口３１を覆っている。この実施形態では、椀状空気吸入端部２２の先端内径は、管路３の外径の２倍以上に形成されている。
【００２２】
これにより、この椀状空気吸入端部２２は、その先端内径より外径が小さい複数種類の管路３の空気を吸い込むことができる。つまり、口径（内径）が類似する複数種類の配管に対して一つのエアホースの椀状空気吸入端部２２で対応することができるため、準備するエアホースの種類を減らすことができ、作業が容易となり、装置の持ち運びも簡単となり、装置製造コストも低減することができる。
【００２３】
（変形態様）
なお、図２では、椀状空気吸入端部２２とエアホース２とは、樹脂又はゴムにより一体に形成されたが、別々に構成して両者を嵌合させてもよい。椀状空気吸入端部２２は、ゴムなどにより弾性をもつことが特に好適である。これにより、管路３が突出する壁面等に椀状空気吸入端部２２の先端周縁部を密着させた場合、真空吸引装置１の吸引により椀状空気吸入端部２２の周縁部が管路周囲の壁面に吸着し、椀状空気吸入端部２２の保持が容易となる。更に、椀状空気吸入端部２２の先端周縁部が壁面の凹凸に沿いつつ弾性変形するため、空気漏れを低減することができる。
【図面の簡単な説明】
【００２４】
【図１】実施形態１の挿線装置の要部拡大断面図である。
【図２】実施形態２の挿線装置の要部拡大断面図である。
【図３】従来の挿線装置のパラシュート形風受け部材を示す模式図である。
【符号の説明】
【００２５】
１      真空吸引装置
２      エアホース
３      管路
４      壁部
５      ジョイントボックス
６      予備線
７      マンホール
８      マンホール
９      道路
２１      テーパ状空気吸入端部
２２      椀状空気吸入端部
３１      引出口
６１      テープ
６２      挿線用風受け部材
【図１】
0003146706.tif 000003
【図２】
0003146706.tif 000004
【図３】
0003146706.tif 000005